(57)【要約】  本発明は放送システム／方法に関し、放送信号は１つ以上の地域コードに基づいてエンコードされる。デコード中に解読鍵及び／又は料金モード鍵が使用され、その鍵は受信機の物理的位置を表す地域コードに依存する。このように、地域に依存した放送を可能にする簡単で信頼性のある効率的な方法が得られる。更に、物理的位置又は地域に依存した異なる料金モードを有することも可能である。更に、地域コードと料金モードとの関連が更新されさえすればよいため、料金モードは動的に変更されてもよい。
2007506335.tif 000002
【特許請求の範囲】
【請求項１】
放送信号を受信する方法であって、
−受信機で放送装置から符号化放送信号を受信し、前記符号化放送信号はそれぞれ地域を表す少なくとも１つの地域コードに基づいてエンコードされているステップと、
−前記受信機が配置されている地域の地域コードを取得するステップと、
−前記受信機でデコード鍵を取得するステップと、
−前記取得されたデコード鍵を使用して、前記取得された地域コードに基づいて前記放送信号をデコードするステップと
を有する方法。
【請求項２】
請求項１に記載の方法であって、
料金モードを取得するステップを更に有し、
前記放送信号をデコードするステップは、前記取得された料金モードに依存した料金モード鍵を使用することを更に有することを特徴とする方法。
【請求項３】
請求項２に記載の方法であって、
−前記解読鍵は前記取得された地域コードに基づいて導かれ、前記料金モード鍵は前記取得された地域コードと独立である、若しくは
−前記料金モード鍵は前記取得された地域コードに基づいて導かれ、前記解読鍵は前記取得された地域コードと独立である、又は
−前記解読鍵及び前記料金モード鍵は前記取得された地域コードに基づいて導かれることを特徴とする方法。
【請求項４】
請求項２に記載の方法であって、
前記料金モードは、前記取得された地域コードに基づいて導かれることを特徴とする方法。
【請求項５】
請求項１に記載の方法であって、
前記受信機が配置されている地域の地域コードを取得するステップは：
−位置決定手段からのグローバルポジショニングシステム（GPS）データを取得し、前記地域コードを導くために前記取得されたGPSデータを使用することを有することを特徴とする方法。
【請求項６】
請求項１に記載の方法であって、
前記放送信号を受けるために支払う料金を前記受信機のユーザに提示し、前記ユーザが料金の支払いを受け入れた場合にのみ、前記放送信号を提示するステップと
を更に有することを特徴とする方法。
【請求項７】
請求項１に記載の方法であって、
前記デコード鍵を取得するステップは：
−安全な暗号鍵を選択し、前記安全な暗号鍵と前記取得された地域コードとで関数を実行することにより、前記デコード鍵を取得することを有することを特徴とする方法。
【請求項８】
請求項２に記載の方法であって、
前記料金モード鍵を取得するステップは：
−安全な暗号鍵を選択し、前記安全な暗号鍵と前記取得された地域コードとで関数を実行することにより、前記料金モード鍵を取得することを有することを特徴とする方法。
【請求項９】
放送信号を送信する方法であって、
−放送装置で複数の受信機に送信される信号を取得するステップと、
−複数の直交エンコード鍵で、地域を表す１つ以上の地域コードに基づいて前記信号をエンコードし、それによって符号化放送信号を生成するステップと、
−前記符号化放送信号を複数の受信機に送信するステップと
を有する方法。
【請求項１０】
請求項９に記載の方法であって：
−前記符号化放送信号を送信する前に、少なくとも１つの料金モード又は料金モード鍵で前記信号又は前記符号化放送信号をエンコードするステップを更に有することを特徴とする方法。
【請求項１１】
請求項１０に記載の方法であって、
−前記エンコード鍵は前記１つ以上の地域コードに依存し、前記料金モード鍵は前記１つ以上の地域コードと独立である、若しくは
−前記料金モード鍵は１つ以上の地域コードに依存し、前記エンコード鍵は前記１つ以上の地域コードと独立である、又は
−前記エンコード鍵及び前記料金モード鍵は前記取得された地域コードに依存することを特徴とする方法。
【請求項１２】
−複数の受信機に送信される信号を受信し、複数の直交エンコード鍵で、１つ以上の地域コードに基づいて前記信号をエンコードし、それによって符号化放送信号を生成するエンコーダと、
−前記符号化放送信号を複数の受信機に送信する送信回路と
を有する放送装置。
【請求項１３】
−放送装置から符号化放送信号を受信し、前記符号化放送信号はそれぞれ地域を表す少なくとも１つの地域コードに基づいてエンコードされている受信回路と、
−前記受信機が配置されている地域の地域コードを取得する位置決定手段と、
−デコード鍵を取得する手段と、
−前記取得されたデコード鍵を使用して、前記取得された地域コードに基づいて前記放送信号をデコードするデコーダと
を有する受信装置。
【請求項１４】
請求項１２に記載の少なくとも１つの放送装置と、請求項１３に記載の少なくとも１つの受信装置とを有する放送システム。
【請求項１５】
請求項１ないし８のうちいずれか１項に記載の方法又は請求項９ないし１１のうちいずれか１項に記載の方法を１つ以上の処理ユニットに実行させる命令を格納したコンピュータ読取可能媒体。
【発明の詳細な説明】
【技術分野】
【０００１】
本発明は、デジタル放送（DVB：digital  video  broadcasting）に関する。より具体的には、本発明は、放送信号を送信／放送する方法及び対応する装置に関し、放送信号を受信する方法及び対応する装置に関する。更に、本発明は、放送装置と受信装置とを有するシステムに関し、１つ以上の処理ユニットに本発明による方法を実行させる命令を格納したコンピュータ読取可能媒体に関する。
【背景技術】
【０００２】
デジタル放送（DVB）では、ペイ・パー・ビュー・テレビは、放送の視聴（例えば、テレビショー、映画等）についてユーザに課金するためにますます使用されている方法であり、それによって、例えばユーザは複数の利用可能な映画から映画を選択し、選択された映画のユーザへの放送が開始された後に支払うことを約束する。ユーザの場所では、映画を有するデジタル信号の受信を処理し、セキュリティと課金と他の様々な機能とを実行するために、いわゆるセットトップボックスが必要である。
【０００３】
今日では、一般的に、所定の放送に関連する所定の標準価格を有することのみが可能である。すなわち、簡単な方法で異なるユーザを異なるように処理すること（例えば異なる種類のユーザに異なる価格を請求すること、すなわちユーザ間での価格の差別化を有すること）は不可能である。
【０００４】
更に、一般的に、既存のDVB又はペイ・パー・ビュー・システムを使用した簡単な方法で、他のユーザが２グループのユーザを異なるように処理して２つの異なる放送を送信することなく、特定のユーザが所定の放送に無料でアクセスするようにし、他のユーザがそれに支払う必要があるようにすることは不可能である。更に、所定の放送に支払うべきユーザは、受信することができる限り無料放送を見ることができる。
【０００５】
更に、簡単な方法で、放送の終局で開始された所定の放送について所定の価格を動的に変更可能にすることは不可能である。
【０００６】
特許明細書US5,036,537は、地域レベルで放送受信機にブラックアウト信号（blackout  signal）を送信するシステム及び方法を開示している。このことは、その地理を表す指定コードを格納し、ブラックアウト層を格納したメモリを各受信機に含ませることにより、行われる。指定コード及びブラックアウト層の指示は、番組の放送前に受信機に配信されて格納される。番組送信中に、番組は番組層を伴う。受信機が、番組に付随する送信番組層に対応する格納済のブラックアウト層の指示を有する場合、その番組を表示することができない。
【発明の開示】
【発明が解決しようとする課題】
【０００７】
放送信号を送信する方法（及び対応する装置）を提供し、放送信号を受信する方法（及び対応する装置）を提供し、従来技術の前述の問題を解決することが、本発明の目的である。本発明の他の目的は、全てに対して送信されるものが同じ信号であったとしても、異なる地域からの視聴者が所定の信号について異なる権利を有してもよいという意味で、地域依存の放送を可能にすることである。更なる目的は、簡単且つ効率的な方法でこのことを可能にすることである。更なる目的は、デジタル信号の放送に異なる料金モデルを組み込むことである。
【課題を解決するための手段】
【０００８】
このことは、放送信号を受信する方法（及び対応する装置）により実現され、その方法は、
−受信機で放送装置から符号化放送信号を受信し、符号化放送信号はそれぞれ地域を表す少なくとも１つの地域コードに基づいてエンコードされているステップと、
−受信機が配置されている地域の地域コードを取得するステップと、
−受信機でデコード鍵を取得するステップと、
−取得されたデコード鍵を使用して、取得された地域コードに基づいて放送信号をデコードするステップと
を有する。また、放送信号を送信する方法（及び対応する装置）により実現され、その方法は、
−放送装置で複数の受信機に送信される信号を取得するステップと、
−複数の直交エンコード鍵で、地域を表す１つ以上の地域コードに基づいて信号をエンコードし、それによって符号化放送信号を生成するステップと、
−符号化放送信号を複数の受信機に送信するステップと
を有する。
【０００９】
このように、地域依存の放送を可能にする簡単で信頼性のある効率的な方法が得られる。
【００１０】
更に、地域コードを取得して料金モードを導くことができる受信機のみが必要であるため、有料チャンネルを視聴する最低基準としての高価なセットトップボックスの必要性が回避される。
【００１１】
更に、地域コードの精度にのみ依存するため、このことにより、システムがどのくらいの数の異なる料金モード又は価格を処理する又は組み込むことができるかに関して、非常にスケーラブルなシステムアーキテクチャも可能になる
更に、様々なルールが地域コードと共にエンコード及びデコードされ得るため、異なる運営組織により制御され、異なるルールのセットを有する異なる地域もまた、比較的簡単に処理され得る。
【００１２】
好ましい実施例では、方法（及び対応する装置）は、料金モードを取得するステップを更に有し、放送信号をデコードするステップは、取得された料金モードに依存した料金モード鍵を使用することを更に有する。
【００１３】
これによって、地理的／物理的位置又は地域に依存した異なる料金モードを有することが可能になる。更に、地域コードと料金モードとの間の関連が更新されさえすればよいため、料金モードは動的に変更されてもよい。
【００１４】
好ましくは、
−解読鍵は取得された地域コードに基づいて導かれ、料金モード鍵は取得された地域コードと独立である、若しくは
−料金モード鍵は取得された地域コードに基づいて導かれ、解読鍵は取得された地域コードと独立である、又は
−解読鍵及び料金モード鍵は取得された地域コードに基づいて導かれる。
【００１５】
好ましい実施例では、受信機（200）が配置されている地域の地域コード（RC1、RC2、...）は、
−位置決定手段からのグローバルポジショニングシステム（GPS）データを取得し、地域コードを導くために取得されたGPSデータを使用する
ことにより決定される。
【００１６】
このように、所定の受信機の物理的／地理的場所／位置の決定が安全な方法で導かれ、改ざんや不正等が不可能又はほとんど不可能になる。それによって、所定の受信機の地域コードを安全に取得又は決定することが可能になる。更に、受信機の物理的位置の変化（例えばユーザが移動した場合）は、変化後の新しい物理的場所／位置が簡単に検出されるため、制約又は問題を与える。
【００１７】
本発明による方法及び装置の有利な実施例は従属項に記載されており、以下に説明する。
【００１８】
本発明による装置の実施例は、本発明による方法の実施例に対応し、同じ理由で同じ利点を有する。
【００１９】
本発明はまた、本発明による放送装置と受信装置とを有するシステムに関する。
【００２０】
更に、本発明はまた、１つ以上の処理ユニットに本発明による方法を実行させる命令を格納したコンピュータ読取可能媒体に関する。
【発明を実施するための最良の形態】
【００２１】
図１は、本発明によるシステムの概要を示している。放送装置又はシステム（300）（放送装置のみとして示す）と、複数の受信機（200）とが図示されている。放送装置（300）は、適切な配信媒体又はネットワーク（101）（例えば、ケーブル、光ファイバ、直接の地上波接続、衛星接続、インターネット又はその他の形式のネットワーク及び／又は媒体）を介して少なくとも１つの受信機（200）に放送信号（100）を送信する。各受信機（200）は、TV、ディスプレイ若しくはモニタ（TVとして示す）、TVに接続されたセットトップボックス、又はTVに接続され若しくはTVに内蔵された簡単な受信機であることが好ましい。
【００２２】
受信機（200）及び放送装置（300）について、それぞれ図２及び図３に関して以下に詳細に説明する。
【００２３】
受信機（200）は、異なる地域、国、都市等に物理的に配置されてもよい。各受信機（200）は、受信機（200）の物理的／地理的位置に応じて、所定の地域コードを割り当てられる。
【００２４】
１つ以上の受信機（200）で視聴されるビデオストリーム／信号（S）（図示せず）は、放送装置（300）で好ましくは直交鍵（Ek,1、Ek,2、Ek,3、...）のセットでエンコード／暗号化（エンコードとして示す）され、それによって符号化放送信号（100）を生成する。代替として、放送装置（300）は符号化放送信号（100）を受信し、単に送信を処理する。鍵のセットは、そのセットの各鍵（又はその相補）がそのままで符号化信号をうまくデコード／解読（解読として示す）するために使用され、それによって元の信号（S）を取得することができるという点で、直交である。双方向（対称）暗号化機構が使用されることが好ましい。すなわち、所定の信号をエンコード及びデコードするために、同じ鍵が使用される。
【００２５】
本発明によれば、鍵のセットは地域コード又は地域コードの関数に依存する。所定の鍵は、（安全なエンコードを取得するために）所定の暗号鍵と所定の地域コードとに依存することが好ましい。一例は、例えば鍵をDES（Data  Encryption  Standard）鍵又はその他の形式の暗号鍵と地域コードとの組み合わせ又は関数に等しくすることである。すなわち、鍵1=DES鍵＋地域コード1、又はより一般的には、鍵1=F(DES鍵;地域コード1)である。
【００２６】
放送信号（100）をデコードするためにも使用される鍵を地域コードの関数にすることにより、所定の特定の地域コードに関連する（すなわちその特定の地域に配置された）受信機（200）のみが信号をデコードすることができ、それによってそれが視聴可能になることを確保するための非常に簡単且つ効率的な方法が得られる。
【００２７】
符号化放送信号（100）は、複数の受信機（200）に送信される。信号（100）を受信した後に、受信機（200）はその地域コードを取得し（他のところで説明する）、視聴可能なように信号（100）をデコードするためにそれを使用する。
【００２８】
本発明の更なる態様によれば、所定の料金モードは所定の地域コードに関連する。すなわち、異なる料金モードが異なる地域コードについて存在する。このように、価格の差別化を取得する非常に簡単な方法が得られる。ある領域は、（他の地域コードを有する）他の領域より多く支払う必要がある。いくつかの地域コード又は単一の地域コードでは、例えば料金はなくてもよい。すなわち、１つ以上の地域コードは‘無料視聴’料金モードに関係する。
【００２９】
所定の地域コードに関連する料金モードは、その地域に配置されているユーザの（例えば予想の）関心に依存することが好ましく、それによって、放送により関心のあると予想される地域のユーザはあまり感心のない領域のユーザより多くを支払う。例えば、放送が特定のサッカーの試合に関係する場合、特定のサッカーの試合に参加しているのがローカル又は代表サッカーチームである場合には、都市又は国のユーザは多くを支払う。
【００３０】
更に、所定の地域コードに関連する料金モードは、例えばその所定の地域内のユーザの（例えば、予想、平均等の）収入に依存してもよく、それによって、多くの金のあるユーザがあまり金のないユーザより多くを支払う。すなわち、都市、郡、州、国等に応じて、ユーザは多く又は少なく支払う。
【００３１】
地域コードに依存した料金モデルを使用することにより、単に地域コードの領域の精度に依存するため、非常にスケーラブルな料金機構が可能になる。すなわち、単一の都市、郡、州、国等に複数の地域が定められてもよい。
【００３２】
このように、単に各地域コードを所定の料金モードと関連付けることにより、同じ放送コンテンツについて異なる地域のユーザ／受信機に対して異なる料金を請求することが可能になる。このことは望ましいことがあり、概して、有料チャンネルの放送局の収益に影響を及ぼすことなく、放送が異なる地域で視聴可能にすることが可能になる。例えば、人がチャンネルを視聴するために支払いを行おうとする都市では、地域コードは所要の料金モードに関係し、それによって、コンテンツを視聴することに対して（例えば異なるように）人に請求し、また、必要なデコーダが一般的に利用可能でない又は財政的に実行可能でない遠隔（地方）の領域の人が、その地域コードを無料視聴料金モードに関係付けることにより、同じチャンネルを無料で視聴させる。更に、（送信及び／又は受信中の）複雑な手順／システムを必要とすることなく、及び異なるユーザに対して異なる信号を処理することを必要とすることなく、このことが実現される。
【００３３】
好ましい実施例では、ユーザは料金モード及び／又は所定の選択された放送に支払う料金について通知され、放送が受信又は表示され得る前にそれを受け入れなければならない。
【００３４】
このシステムもまた、放送局が他の料金モードを所定の地域に関連付けることにより、所定の地域の料金モードを非常に容易に動的に変更することができるという点で、動的である。このことは非常に有用である。例えば何らかのスポーツ有料チャンネルが２つの都市の試合を放送しているときに、関心のある領域（すなわち２つの都市）が多くを支払い、無関係の地域又はあまり関係のない地域があまり又は全く支払う必要がないように、これらの２つの都市の地域コードが異なる料金モードに調整される。試合が終了すると、地域コードは他の料金モードに調整され、又はその元の料金モードに再調整され、それにより、この時点でスポーツ有料チャンネルの継続した視聴が通常の料金になる。
【００３５】
料金モードはユーザの地域（より具体的にはこれを表す地域コード）に関係するため、安全な方法で所定の受信機（200）の物理的場所／位置を認識すること又は決定できることが重要である。改ざん、不正等が不可能又はほとんど不可能になり、それによって、所定の受信機（200）の地域コードを安全に取得又は決定することが可能になる。このことを可能にする１つの方法は、受信機（200）がGPS（Global  Positioning  System）回路を有すること、又は受信機（200）がGPS機能を有する他の装置に接続されることである。代替として、受信機（200）は、他の形式の位置／場所決定手段を有し又はそれに接続される。このような装置の例として、例えばGPS可能モバイル装置がある。更に、受信機の物理的位置の変化（例えばユーザが移動した場合）は、変化後の新しい物理的場所／位置が簡単に検出されるため、制約又は問題を与える。他の選択肢として、地域コードは受信機ベンダ又はケーブルオペレータにより物理的に組み込まれてもよい。
【００３６】
GPSデータ／情報又は他の位置情報に基づいて、関係する地域コードが導かれる。
【００３７】
代替として、地域チャンネルとして指定されていることが知られているチャンネルの“形式”又はチャンネルの“名前”について認識されている場合には、価格の差別化機構を実装させることが更に可能である。例えば、Amsterdam  Newsチャンネルについて検討する。Amsterdam  Newsチャンネルは、地域の効果を有するように意図されているため、対応の地域コードが抽出可能である（暗に、Amsterdamが一地域として考えられ残りが他として考えられる）。従って、（地域コードが暗に推定され得るため）地域コードで信号をエンコード／暗号化することなく、様々な料金モードがこのチャンネルに関連し得る。必要な唯一のデコード／解読鍵は料金モード鍵である。例えばAmsterdam市内の人は１つの料金モデルを有し、全オランダは他の料金モデルを有し、EU諸国の残りは更に他のものを有する。
【００３８】
また、放送信号をエンコード又は暗号化（エンコードのみとして示す）する安全な方法を使用することも重要である。好ましくは、放送される信号のエンコードは、適切な地域コード及び適切な料金モードが合致したときにのみ、デコードされるように行われるべきである。
【００３９】
例えば、PMk(Dk(Ek(S)))=(S)であるエンコード機構が使用されてもよい。ただし、Sは非エンコード／非暗号形式での放送信号であり、Ekは放送装置／システム（300）において本発明に従って放送信号（S）をエンコード／暗号化するために使用されるエンコード鍵であり、Dkは放送信号（100）をデコードするために使用されるデコード／解読鍵であり、PMkは（デコード）料金モード鍵である。このように、受信機において符号化信号（Ek(S)）に解読（Dk）及び料金モード鍵（PMk）を適用した後に、エンコードされていない（そのため視聴可能な）信号（すなわちS）が得られる。
【００４０】
少なくとも１つの鍵（Dk及びPMk）は地域コードに依存することが好ましい。すなわち、以下の３つの可能性がある。
1)解読鍵（Dk）は所定の地域コードから導かれ／所定の地域コードに依存し、料金モード鍵（PMk）は地域コードと独立である。
2)料金モード鍵（PMk）は所定の地域コードから導かれ／所定の地域コードに依存し、解読鍵（Dk）はそれと独立である。
3)解読鍵（Dk）及び料金モード鍵（PMk）は所定の地域コードに依存する／所定の地域コードから導かれる。
【００４１】
周知の対称暗号化機構のいくつかの例には、例えば、DES、Triple-DES（3DES）、IDEA、CAST5、BLOWFISH、TWOFISH  IDEA、RC2、RC4、Blowfish及びDiamondがある。
【００４２】
ある暗号化機構では、暗号鍵（PMk及びDk）を適用する順序は重要でなくてもよい。すなわち、PMk(Dk(信号))=Dk(PMk(信号))である。
【００４３】
例えば、前記による料金モードは、異なる料金モードが対応する暗号レイヤをそれぞれ有する暗号の任意選択の第２レイヤとして実装されてもよい。放送局が特定の領域のチャンネルを無料加入チャンネルとして希望する場合、第２の暗号レイヤは必要なく、Dk(Ek(S))=(S)（又は無料視聴に関連する地域コードではPMk=1）で十分である点に留意すべきである。（例えば他の領域で）支払いが行われた場合、暗号の第２レイヤは異なる形式の料金モードに依存するべきである。
【００４４】
図２は、本発明による受信機の実施例の概略ブロック図を示している。通信バス（205）又はユニットが情報及びデータを交換することを可能にする同様の構造を介して接続されたデコーダ（202）と、オーディオ／ビデオ受信回路（201）と、メモリ及び／又は記憶装置（203）と、位置決定手段／位置決定器（206）と、表示ユニット（204）とが図示されている。
【００４５】
受信回路（201）は、放送装置（図示せず）から送信された符号化放送信号（100）を受信する。その符号化放送信号（100）は、位置決定手段（206）からの受信機（200）の所定の物理的位置を表すデータと共に、デコーダ（202）に供給される。デコーダ（202）では、受信機（200）の地域コード（RC）は、位置決定手段（206）からのデータに基づいて得られ、符号化信号（100）は、例えばメモリ／記憶装置（203）に格納されている例えば解読鍵（Dk）の一部として地域コードを使用して、前述のようにデコードされる。デコーダ（202）は、１つ以上の汎用及び／又は専用処理ユニットを有してもよい。
【００４６】
更に、適切な料金モード（PM）（及び料金モード鍵PMk）が得られる。一実施例では、料金モードPMは、例えばメモリ／記憶装置（203）に格納されている図４に示すようなテーブルを有することにより、取得された地域コード（RC）に基づいて決定される。所定の料金モード鍵（PMk）は、得られた料金モード（PM）から導かれる。代替実施例では、料金モードは放送信号（100）に直接エンコードされてもよく、受信機（200）により抽出されることを必要とする。
【００４７】
好ましい実施例では、放送信号（100）は、適切な料金モードのみが解読可能な暗号の第２レイヤでエンコードされている。このことは、例えば地域コードについて説明したように料金モードに依存した解読鍵を取得することにより行われてもよい。
【００４８】
このように、受信機（200）が正しい地域コードと正しい料金モードとを有する場合にのみ、放送信号が視聴可能になることが確保される。
【００４９】
好ましい実施例では、ユーザは、関係する料金モード及び／又は所定の選択された放送に支払う料金について通知され、放送が受信又は表示され得る前にそれを受け入れなければならない。
【００５０】
成功したデコード（それによる地域コード及び料金モードの確認）の後に、暗号化していない信号が提示用に表示ユニット（204）に送信される（表示ユニットは内部でもよく外部でもよい）。
【００５１】
代替実施例では、位置決定手段（206）は外部であるが、受信機（200）と通信接続している。
【００５２】
図３は、本発明による放送装置の実施例の概略ブロック図を示している。通信バス又はユニットが情報及びデータを交換することを可能にする同様の構造を介して接続されたエンコーダ（302）と、オーディオ／ビデオ送信回路（301）と、メモリ及び／又は記憶装置（203）とを有する放送装置（300）が図示されている。
【００５３】
エンコーダ（302）は、放送される信号（S）を受信し、前述のように、すなわち、メモリ／記憶装置（203）に格納されている直交鍵（Ek,1、Ek,2、Ek,3、...）のセットで、それをエンコードする。ただし、各鍵（Ek）は所定の地域コード（RC）に依存することが好ましい。一実施例では、エンコーダ（302）は、放送信号に料金モードを直接エンコードするために、暗号の第２レイヤを更に適用する。信号（S）がエンコードされた後に、それは送信機（301）に供給され、送信機（301）は複数の受信機により受信され得るように符号化信号（100）を放送する。エンコーダ（302）は１つ以上の汎用及び／又は専用処理ユニットを有してもよい。
【００５４】
代替として、放送装置（300）は、エンコードされた形式で放送信号（100）を受信し、単に送信を処理してもよい。
【００５５】
図４は、地域コードの値とその関連する料金モードとを有する簡単なテーブルを示している。複数の地域コード（RC1、RC2、...）と複数の料金モード（PM1、PM2、...）との関係を示したテーブルが図示されている。１つの料金モード（PM）は所定の地域コードに関連する。図示のように、同じ金額が地域RC4及び地域RC5で支払われることを単に示すことで、所定の料金モード（図示の例ではPM4）は、１つより多くの地域コード（図示の例ではRC4及びRC5）に関連してもよい。
【００５６】
料金モードの１つは、例えば無料視聴モードを表すように指定されてもよい。
【００５７】
代替として、テーブルは地域コード（RC1、RC2、...）と複数の料金モード鍵とを有してもよい。
【００５８】
請求項において、括弧の間の如何なる参照符号も請求項を限定するものとして解釈されるべきではない。“有する”という用語は、請求項に記載されたもの以外の要素又はステップの存在を除外するものではない。単数の要素はそのような要素の複数の存在を除外するものではない。
【００５９】
本発明は、複数の別個の要素を有するハードウェアを用いて、適切にプログラムされたコンピュータを用いて実装され得る。複数の手段を列挙した装置の請求項において、これらの手段のうちいくつかは同一のハードウェアに具現されてもよい。特定の手段が相互に異なる従属項に記載されているという単なる事実は、これらの手段の組み合わせが有利に使用できないことを示しているのではない。
【図面の簡単な説明】
【００６０】
【図１】本発明によるシステムの概要
【図２】本発明による受信機の実施例の概略ブロック図
【図３】本発明による放送装置／システムの実施例の概略ブロック図
【図４】地域モードの値とそれに関連する料金モードとを有する簡単なテーブル
【図１】
2007506335.tif 000003
【図２】
2007506335.tif 000004
【図３】
2007506335.tif 000005
【図４】
2007506335.tif 000006
【国際調査報告】
2007506335.tif 000007
2007506335.tif 000008
2007506335.tif 000009